(57)【特許請求の範囲】
【請求項１】
マトリックス状に並ぶ複数の画素を備え、
前記各画素は、画像を構成する構造のなかで独立した像を形成する繰り返しの最小単位であり、前記画素に１つずつの連続した１つの平面である反射面を備え、
全ての前記反射面のなかに、所定の方向から入射した光を前記反射面に固有となる別々の方向へ各々が反射する複数の前記反射面を含み、前記各反射面による光の反射によって、前記各反射面に共通する方向である特定方向に画像を表示する
表示体。
【請求項２】
マトリックス状に並ぶ複数の画素を備え、
前記各画素は、前記画素に１つずつの反射面を備え、
全ての前記反射面のなかに、所定の方向から入射した光を前記反射面に固有となる別々の方向へ各々が反射する複数の前記反射面を含み、前記各反射面による光の反射によって、前記各反射面に共通する方向である特定方向に画像を表示し、
前記画像は、第１画像であり、
前記反射面は、第１反射面であり、
前記特定方向は、第１特定方向であり、
前記複数の画素は、各々に１つずつの第２反射面をさらに備えた複数の重畳画素を含み、
前記複数の第２反射面は、所定の方向から入射した光を前記第２反射面に固有となる別々の方向へ各々が反射する複数の前記第２反射面を含み、前記各第２反射面による光の反射によって、前記各第２反射面に共通する方向である第２特定方向にさらに画像を表示し、
前記複数の重畳画素の少なくとも１つにおいて、
前記第１反射面は、第１仮想平面に含まれる複数の第１面要素から構成され、
前記第２反射面は、第２仮想平面に含まれる複数の第２面要素から構成され、
前記第１面要素と前記第２面要素とは、前記画素が並ぶ面と対向する方向から見て１つの配列方向に沿って交互に並び、
前記第１仮想平面が向く方向と、前記第２仮想平面が向く方向とは相互に異なる
表示体。
【請求項３】
マトリックス状に並ぶ複数の画素を備え、
前記各画素は、前記画素に１つずつの反射面を備え、
全ての前記反射面のなかに、所定の方向から入射した光を前記反射面に固有となる別々の方向へ各々が反射する複数の前記反射面を含み、前記各反射面による光の反射によって、前記各反射面に共通する方向である特定方向に画像を表示し、
前記画像は、第１画像であり、
前記反射面は、第１反射面であり、
前記特定方向は、第１特定方向であり、
前記複数の画素は、各々に１つずつの第２反射面をさらに備えた複数の重畳画素を含み、
前記複数の第２反射面は、所定の方向から入射した光を前記第２反射面に固有となる別々の方向へ各々が反射する複数の前記第２反射面を含み、前記各第２反射面による光の反射によって、前記各第２反射面に共通する方向である第２特定方向にさらに画像を表示し、
前記複数の重畳画素の少なくとも１つにおいて、
前記第１反射面は、第１仮想平面に含まれる複数の第１面要素から構成され、
前記第２反射面は、第２仮想平面に含まれる複数の第２面要素から構成され、
前記第１面要素と前記第２面要素とは、前記画素が並ぶ面と対向する方向から見て１つの配列方向に沿って交互に並び、
前記画素が並ぶ面と前記第１仮想平面とが形成する角度と、前記画素が並ぶ面と前記第２仮想平面とが形成する角度とは相互に異なる
表示体。
【請求項４】
前記各第２反射面は、前記第２反射面に固有の波長を有して前記第２反射面に固有の方向から前記第２反射面に入射した光に対し、当該光を前記第２特定方向で回折する形状を有し、
前記各第２反射面による回折によって前記第２特定方向の画像を表示する
請求項２または３に記載の表示体。
【請求項５】
マトリックス状に並ぶ複数の画素を備え、
前記複数の画素は、複数の第１画素と、複数の第２画素とを含み、前記各画素が、画像を構成する構造のなかで独立した像を形成する繰り返しの最小単位であり、
前記各第１画素は、前記各第１画素に１つずつの連続した１つの平面である第１反射面を備え、
全ての前記第１反射面のなかに、所定の方向から前記第１反射面に入射した光を前記第１反射面に固有となる別々の方向へ各々が反射する複数の前記第１反射面を含み、前記各第１反射面による光の反射によって、前記各第１反射面に共通する方向である第１特定方向に第１画像を表示し、
前記各第２画素は、前記各第２画素に１つずつの連続した１つの平面である第２反射面を備え、
全ての前記第２反射面のなかに、所定の方向から前記第２反射面に入射した光を前記第２反射面に固有となる別々の方向へ各々が反射する複数の前記第２反射面を含み、前記各第２反射面による光の反射によって、前記各第２反射面に共通する方向である第２特定方向に第２画像を表示する
表示体。
【発明の詳細な説明】
【技術分野】
【０００１】
本発明は、複数の画素を備える表示体に関する。
【背景技術】
【０００２】
認証書類、有価証券類、および、紙幣などの各種物品は、物品の偽造が困難であることを求められる。物品の偽造を困難なものとする技術の一例には、偽造が困難である表示体を物品に貼り付ける技術が用いられる（例えば、特許文献１を参照）。
【先行技術文献】
【特許文献】
【０００３】
【特許文献１】特表２００８‐５４７０４０号公報
【発明の概要】
【発明が解決しようとする課題】
【０００４】
上述した表示体を解析する技術は、偽造が困難である構成を開発するために発展している。表示体を製造する技術もまた、偽造が困難である構成を具現化するために多様化する一方である。しかしながら、表示体を解析する技術の向上は、表示体の偽造を目的とした表示体の解析を容易なものとし、表示体を製造する技術の多様化もまた、偽造品の製造を容易なものとしている。そこで、表示体を構成する各要素には、従来にも増して、新規な構造が強く望まれており、特に、表示体が有する意匠性を高める技術が求められている。
本発明は、表示体が有する意匠性を高めることを可能とした表示体を提供することを目的とする。
【課題を解決するための手段】
【０００５】
上記課題を解決するための表示体は、マトリックス状に並ぶ複数の画素を備え、前記各画素は、前記各画素に１つずつの反射面を備える。そして、全ての前記反射面のなかに、所定の方向から入射した光を前記反射面に固有となる別々の方向へ各々が反射する複数の前記反射面を含み、前記各反射面による光の反射によって、前記各反射面に共通する方向である特定方向に画像を表示する。
【０００６】
上記構成によれば、画像を構成する各要素が、各要素に１つずつの反射面による反射によって表示され、かつ、各画素に１つずつの反射面が、マトリックス状に位置するため、各画素の輝度を定めたデータである画像データから、反射面の有する形状を直接的に定めることが可能となる。結果として、表示体が表示する画像を画像データから直接的に定めることが可能となるため、表示体が有する意匠性を高めることが可能となる。
【０００７】
上記表示体において、前記各反射面は、前記反射面に固有の波長を有して前記反射面に固有の方向から前記反射面に入射した光に対し、当該光を前記特定方向で回折する形状を有し、前記各反射面による回折によって前記特定方向に画像を表示する。
【０００８】
上記構成によれば、光を反射する方向である特定方向で光が回折するため、回折効率が高められた光による画像を、特定方向に表示することが可能となる。また、各画素に１つずつの反射面を各画素が備えるため、特定方向に表示される画像の解像度を高めることが可能ともなる。ひいては、特定方向に表示される画像の視認性を高めることが可能となる。
【０００９】
上記表示体において、前記複数の画素の少なくとも１つは、１つの仮想平面に間隔を空けて並び、かつ、前記仮想平面に沿った形状を有する複数の面要素から構成された前記反射面を含んでもよい。
【００１０】
上記構成によれば、複数の面要素から構成される反射面が画素に含まれるため、画像を表示するための反射面の構造をさらに複雑なものとし、それによって、表示体を偽造することの困難性を高めることが可能ともなる。
【００１１】
上記表示体において、前記画像は、第１画像であり、前記反射面は、第１反射面であり、前記特定方向は、第１特定方向であってもよい。そして、前記複数の画素は、各々に１つずつの第２反射面をさらに備えた複数の重畳画素を含んでもよい。この際、前記複数の第２反射面は、所定の方向から入射した光を前記第２反射面に固有となる別々の方向へ各々が反射する複数の前記第２反射面を含み、前記各第２反射面による光の反射によって、前記各第２反射面に共通する方向である第２特定方向にさらに画像を表示してもよい。
【００１２】
上記表示体によれば、第１特定方向の画像を構成する要素の表示と、第２特定方向の画像を構成する要素の表示とを各重畳画素が担うため、表示体の有する意匠性をさらに高めることが可能ともなる。
【００１３】
上記表示体において、前記各第２反射面は、前記第２反射面に固有の波長を有して前記第２反射面に固有の方向から前記第２反射面に入射した光に対し、当該光を前記第２特定方向で回折する形状を有し、前記各第２反射面による回折によって前記第２特定方向の画像を表示してもよい。
【００１４】
上記構成によれば、第１特定方向の画像と、第２特定方向の画像との両方において、特定方向に表示される画像の解像度を高めること、ひいては、各特定方向に表示される画像の視認性を高めることが可能となる。
【００１５】
上記表示体における前記複数の重畳画素の少なくとも１つにおいて、前記第１反射面は、第１仮想平面に含まれる複数の第１面要素から構成され、前記第２反射面は、第２仮想平面に含まれる複数の第２面要素から構成されてもよい。そして、前記第１面要素と前記第２面要素とは、前記画素が並ぶ面と対向する方向から見て１つの配列方向に沿って交互に並び、前記第１仮想平面が向く方向と、前記第２仮想平面が向く方向とは相互に異なってもよい。
【００１６】
上記構成によれば、画素が並ぶ面と対向する方向から見て、第１面要素と第２面要素とが、配列方向に沿って交互に並ぶ一方で、第１仮想平面が向く方向と、第２仮想平面が向く方向とは相互に異なる。それゆえに、反射面の構造をさらに複雑なものとし、それによって、表示体を偽造することの困難性を高めることが可能ともなる。
【００１７】
上記表示体における前記複数の重畳画素の少なくとも１つにおいて、前記第１反射面は、第１仮想平面に含まれる複数の第１面要素から構成され、前記第２反射面は、第２仮想平面に含まれる複数の第２面要素から構成され、前記第１面要素と前記第２面要素とは、前記画素が並ぶ面と対向する方向から見て１つの配列方向に沿って交互に並び、前記画素が並ぶ面と前記第１仮想平面とが形成する角度と、前記画素が並ぶ面と前記第２仮想平面とが形成する角度とは相互に異なってもよい。
【００１８】
上記構成によれば、画素が並ぶ面と対向する方向から見て、第１面要素と第２面要素とが、配列方向に沿って交互に並ぶ一方で、画素が並ぶ面と各第１仮想平面とが形成する角度と、画素が並ぶ面と各第２仮想平面とが形成する角度とは相互に異なる。それゆえに、反射面の構造をさらに複雑なものとし、それによって、表示体を偽造することの困難性を高めることが可能ともなる。
【００１９】
上記表示体において、前記複数の重畳画素の少なくとも１つにおいて、前記重畳画素は、前記画素が並ぶ面と交差する屈曲線で屈曲する面であり、かつ、前記各重畳画素に１つずつの面である屈曲面を備え、平面である前記第１反射面と、平面である前記第２反射面とは、前記屈曲線を共有して前記屈曲面を構成してもよい。
【００２０】
上記構成によれば、第１反射面と第２反射面とが、各重畳画素に１つずつの屈曲面を構成するため、重畳画素が有する構造をさらに複雑なものとし、それによって、表示体を偽造することの困難性を高めることが可能ともなる。
【００２１】
上記課題を解決するための表示体は、マトリックス状に並ぶ複数の画素を備え、前記複数の画素は、複数の第１画素と、複数の第２画素とを含み、前記各第１画素は、前記各第１画素に１つずつの第１反射面を備え、全ての前記第１反射面のなかに、所定の方向から前記第１反射面に入射した光を前記第１反射面に固有となる別々の方向へ各々が反射する複数の前記第１反射面を含み、前記各第１反射面による光の反射によって、前記各第１反射面に共通する方向である第１特定方向に第１画像を表示する。また、前記各第２画素は、前記各第２画素に１つずつの第２反射面を備え、全ての前記第２反射面のなかに、所定の方向から前記第２反射面に入射した光を前記第２反射面に固有となる別々の方向へ各々が反射する複数の前記第２反射面を含み、前記各第２反射面による光の反射によって、前記各第２反射面に共通する方向である第２特定方向に第２画像を表示する。
【００２２】
上記構成によれば、第１画像を構成する各要素が、各要素に１つずつの第１反射面による反射によって表示され、かつ、各第１画素に１つずつの第１反射面が、マトリックス状に位置する。そのため、各第１画素の輝度を定めたデータである画像データから、各第１反射面の有する形状を直接的に定めることが可能となる。また、第２画像を構成する各要素が、各要素に１つずつの第２反射面による反射によって表示され、かつ、各第２画素に１つずつの第２反射面が、マトリックス状に位置する。そのため、各第２画素の輝度を定めたデータである画像データから、各第２反射面の有する形状を直接的に定めることが可能となる。結果として、表示体が表示する画像を画像データから直接的に定めることが可能となるため、表示体が有する意匠性を高めることが可能となる。
【図面の簡単な説明】
【００２３】
【図１】第１実施形態における表示体が備える単位格子の構成を示す構成図。
【図２】第１実施形態における画素の斜視構造を示す斜視図。
【図３】第１変形例における画素の斜視構造を示す斜視図。
【図４】第１変形例における表示体が備える各画素の配置を示す構成図。
【図５】第１変形例における表示体が備える各画素の他の配置を示す構成図。
【図６】第２変形例における画素の斜視構造を示す斜視図。
【図７】第２実施形態における画素の作用を説明する作用図であって、（ａ）は連続する３つの画素の側面構造を示す側面図、（ｂ）は連続する３つの画素の平面構造を示す平面図。
【図８】第２実施形態における表示体の平面構造を示す平面図。
【図９】第２実施形態における画素の斜視構造を示す斜視図。
【図１０】第２実施形態における画素の平面構造を模式的に示す構成図。
【図１１】第２実施形態における表示体の作用を示す作用図。
【図１２】第３変形例における画素の斜視構造を示す斜視図。
【図１３】第３変形例における仮想面に適用される構造例を示す斜視図。
【図１４】第３変形例における仮想面に適用される構造例を示す斜視図。
【図１５】第３変形例における仮想面に適用される構造例を示す斜視図。
【発明を実施するための形態】
【００２４】
（第１実施形態）
図１から図２を参照して第１実施形態における表示体を説明する。
図１が示すように、表示体１０は、複数の画素１１Ａが並ぶ面である表示面１０Ｓを備える。各画素１１Ａは、特定方向に画像ＰＩＣを表示するための構造のなかで、独立した像を形成する繰り返しの最小単位であり、表示面１０Ｓにおいてマトリックス状に並ぶ。画像ＰＩＣは、例えば、文字、図形、記号、絵柄などである。表示面１０Ｓは、平面であってもよいし、曲面であってもよい。
【００２５】
画素１１Ａの位置は、例えば、矩形格子の各単位格子、斜方格子の各単位格子、菱形格子の各単位格子である。なお、図１が示す例では、各画素１１Ａが、１つの方向であるＸ方向、および、Ｘ方向と直交する１つの方向であるＹ方向に沿って並び、複数の画素１１Ａが発現する光学的な機能によって、星形の画像ＰＩＣが特定方向に表示される。また、各画素１１Ａでは、画素１１Ａにおける表面と表示面１０Ｓとの距離が小さいほど濃い色が付されるように、グラデーションが付されている。
【００２６】
表示面１０Ｓは、仮想的な格子ＢＬが規定される面である。格子ＢＬは、表示面１０Ｓにおいて所定の大きさを占有する複数の単位格子Ｌ１Ｅを備え、各単位格子Ｌ１Ｅは、表示面１０Ｓにおいてマトリックス状に並ぶ。単位格子Ｌ１Ｅは、格子ＢＬのなかで、光学的な機能を発現する繰り返しの最小単位である。図１が示す例では、各画素１１Ａが単位格子Ｌ１Ｅに１つずつ位置する。
【００２７】
図２が示すように、画素１１Ａは、各単位格子Ｌ１Ｅに１つずつであって各画素１１Ａに１つずつの反射面１１Ｓを備える。反射面１１Ｓは、表示面１０Ｓと交差する光学面であって、反射面１１Ｓと表示面１０Ｓとが形成する角度である傾斜角θｂは、Ｙ方向に沿って一定である。各反射面１１Ｓは、可視光を鏡面反射する鏡面であり、反射面１１Ｓに入射する光を傾斜角θｂに基づく方向へ正反射する。
【００２８】
各反射面１１Ｓは、入射角度に範囲をもって反射面１１Ｓに入射した光を反射すると共に、各反射面１１Ｓに共通する観察方向である特定方向ＤＫを反射角度に含める形状を有する。各反射面１１ＳがＹ方向に有する長さは、反射面１１Ｓで鏡面反射された光の進行する方向とは異なる方向で光が回折する大きさである。各反射面１１Ｓで回折した光の進行する方向は、鏡面反射された光の進行する方向よりも反射面１１Ｓの法線方向に近い方向である。なお、画素１１Ａは、表示面１０Ｓにおいて三角柱状を有する突部であってもよいし、表示面１０Ｓにおいて反射面１１Ｓを有する窪みであってもよい。
【００２９】
上述した表示体１０を製造する方法は、例えば、原版から表示体１０を複製する方法である。原版を製造する方法は、平板状の基板が有する一方の面に感光性レジストを塗布した後、感光性レジストにビームを照射して感光性レジストの一部を露光、および、現像し、これによって、原版を製造する。そして、電気めっきなどの方法によって、金属製のスタンパを原版から製造し、この金属製スタンパを母型として用いて、表示体１０を複製する。なお、金属製のスタンパを製造する方法は、この他に、旋盤技術を用いた金属基板の切削加工であってもよい。表示体１０を複製する方法は、例えば、熱エンボス法、キャスト法、フォトポリマー法によって成形物を形成し、その成形物の表面に反射膜を成膜する方法である。フォトポリマー法は、プラスチックフィルムなどの平坦な基材と、金属製のスタンパとの間に、放射線硬化樹脂を流し込み、放射線の照射によって放射線硬化樹脂を硬化させた後、硬化された樹脂膜を基材ごと、金属製のスタンパから剥離する。フォトポリマー法は、熱可塑性樹脂を利用するプレス法やキャスト法に比べて、画素１１Ａにおける構造上の精度が高く、耐熱性や耐薬品性にも優れた画素１１Ａが得られる点において好ましい。
【００３０】
上記第１実施形態によれば、以下に列挙する効果が得られる。
（１）画像ＰＩＣを構成する各要素が、各要素に１つずつの反射面１１Ｓによる反射によって表示される。そして、各画素１１Ａに１つずつの反射面１１Ｓが、マトリックス状に位置するため、各画素１１Ａの輝度を定めたデータである画像データから、各反射面１１Ｓの有する形状を直接的に定めることが可能となる。結果として、表示体１０が表示する画像ＰＩＣを画像データから直接的に定めることが可能となるため、表示体１０が有する意匠性を高めることが可能となる。
【００３１】
（２）特定方向ＤＫからは回折された光が視認され難いため、虹色のギラツキを画像ＰＩＣにおいて抑えることが可能であって、反射面１１Ｓが有する光沢感を画像ＰＩＣに与えることが可能ともなる。
【００３２】
上記第１実施形態は、以下のように変更して実施することもできる。
［第１変形例］
傾斜角θｂは、Ｙ方向において一定に限らず、Ｙ方向において異なっていてもよい。
例えば、図３が示すように、反射面１１ＳにおけるＹ方向の基端部が有する傾斜角θｂ１は、反射面１１ＳにおけるＹ方向の先端部が有する傾斜角θｂ２よりも小さい。そして、反射面１１Ｓが有する傾斜角θｂは、Ｙ方向の基端部から先端部に向けて、単調に増加する。こうした反射面１１Ｓの法線方向は、Ｘ方向を含む平面、および、Ｙ方向を含む平面とは交差する方向である。一方で、第１実施形態における反射面１１Ｓの法線方向は、Ｙ方向とは直交する平面である。それゆえに、第１変形例における画素１１１によれば、表示面１０Ｓと対向する方向から見て、第１実施形態における画素１１Ａの特定方向ＤＫとは異なる向き、すなわち、Ｘ方向を含む面方向やＹ方向を含む面方向とは異なる方向を、新たな特定方向ＤＫとすることが可能ともなる。なお、反射面１１Ｓが有する傾斜角θｂは、Ｙ方向に沿って単調に減少してもよい。
【００３３】
なお、図４が示すように、第１実施形態における画素１１Ａと、第１変形例における画素１１１とは、適宜組み合わせて実施することが可能でもある。この際、表示面１０Ｓにおいて、画素１１Ａのみが位置する領域と、画素１１１のみが位置する領域と、これらが混在する領域とを、表示体１０が備えてもよい。こうした構成であれば、画素１１Ａによる特定方向ＤＫへの画像ＰＩＣＡの表示と、各画素１１１による特定方向ＤＫへの画像ＰＩＣＢの表示とを、１つの表示体１０で実現することが可能ともなる。また、画像を表示するための反射面１１Ｓの構造を複雑なものとし、それによって、表示体１０を偽造することの困難性を高めることが可能ともなる。
【００３４】
また、図５が示すように、画素１１Ａの位置と、画素１１１の位置とは、幾何学的な立体構造体を示す画像ＰＩＣにおいて、相互に異なる側面が占める領域であってもよい。この際、幾何学的な立体構造体の有する各側面が臨む方向と、その側面が占める領域に位置する反射面１１Ｓの向く方向とは、相互に近しいことが好ましい。ここで、特定方向ＤＫとは異なる方向からの観察において、画素１１Ａの反射による像や、画素１１１の反射による像は、特定方向ＤＫでの観察よりも低い輝度で視認される。そして、上述した構成であれば、幾何学的な立体構造体を示す画像ＰＩＣにおいて、各側面の位置に適した明暗を各特定方向ＤＫからの視認に対して表現することが可能であり、その立体構造体に立体感を付与することが可能ともなる。
【００３５】
［第２変形例］
反射面１１Ｓは、単一の平面に限らず、面要素の集合であってもよい。
例えば、図６が示すように、画素１１Ａは、仮想平面１１Ｋに沿った面であり、かつ、仮想平面１１Ｋに位置する複数の面要素１１Ｓ１を備える。各面要素１１Ｓ１は、表示面１０Ｓと対向する方向から見て、Ｘ方向に延在する面であり、かつ、配列方向であるＹ方向に沿って間隔を空けて並ぶ。複数の面要素１１Ｓ１が含まれる仮想平面１１Ｋは、各単位格子Ｌ１Ｅに１つずつの面であって、画素１１Ａに１つずつの仮想的な平面である。表示面１０Ｓと仮想平面１１Ｋとが形成する角度は、傾斜角θｂである。すなわち、表示面１０Ｓと各面要素１１Ｓ１とが形成する角度は、いずれも単一の傾斜角θｂである。面要素１１Ｓ１は、表示面１０Ｓと交差する光学面であって、傾斜角θｂは、Ｙ方向に沿って一定である。こうした構成において、各仮想平面１１ＫがＹ方向に有する長は、第１実施形態における反射面１１ＳがＹ方向に有する長さと同程度であってもよいし、鏡面反射された光の進行する方向で光が回折する大きさであってもよい。
【００３６】
（第２実施形態）
図７から図１１を参照して第２実施形態における表示体を説明する。まず、図７を参照して、第２実施形態における仮想的な反射面がそれの機能として有してもよい回折について説明する。
【００３７】
なお、図７（ｂ）は、仮想的な反射面１１ＫＳのなかで表示面１０Ｓとの距離が大きい部位ほど白色に近く、仮想的な反射面１１ＫＳのなかで表示面１０Ｓとの距離が小さい部位ほど黒色に近いように、仮想的な反射面１１ＫＳにグラデーションが付されている。
【００３８】
図７（ａ）が示すように、仮想的な反射面１１ＫＳの並ぶ方向における反射面１１ＫＳのピッチは、仮想的な反射面１１ＫＳによって鏡面反射される光の進行する方向と、仮想的な反射面１１ＫＳによって生成された特定波長λを有するｍ次（ｍは１以上の整数）の回折光Ｌ２の進行する方向とを一致させる大きさである。この際、ｍ次の回折光Ｌ２の進行する方向は、上述した特定方向ＤＫである。反射面１１Ｓは、傾斜角θｂを有する平面であってもよいし、光学的に傾斜角θｂを有する平面とみなされる曲面であってもよい。
【００３９】
詳しくは、反射面１１Ｓに入射する入射光Ｌ１が進行する方向と、表示面１０Ｓの法線方向とが形成する角度が入射角αであるとする。ｍ次の回折光Ｌ２が進行する方向と、表示面１０Ｓの法線方向とが形成する角度が回折角βであるとする。画素１１Ａの生成する回折光Ｌ２の波長が特定波長λであるとすると、回折角βは各反射面１１Ｓにおいて共通であり、入射角α、回折角β、特定波長λ、および、傾斜角θｂは、下記式（１）、および、式（２）を満たす。
sinα＋sinβ＝ｍλ（ｍは１以上の整数）      …（１）
θｂ＝（α−β）／２                          …（２）
【００４０】
上述した傾斜角θｂを有した反射面１１Ｓは、特定波長λを有するｍ次の回折光Ｌ２として高い回折効率を示す。例えば、各反射面１１Ｓは、白色の入射光Ｌ１を特定方向ＤＫの有色光に変換すると共に、その変換効率として高い値を有する。また、各画素１１Ａに１つずつの反射面１１Ｓを各画素１１Ａが備えるため、特定方向ＤＫに表示される画像の解像度を高めることが可能ともなる。結果として、回折効率が高められた光による画像を特定方向ＤＫに表示すること、ひいては、特定方向ＤＫに表示される画像の視認性を高めることが可能となる。
【００４１】
なお、図６が示すように、各々が相互に異なる傾斜角θｂを有した複数の反射面１１Ｓを表示体１０が備える構成であれば、相互に異なる特定波長λを有した回折光Ｌ２が、共通する特定方向ＤＫに向けて、各画素１１Ａで反射される。それゆえに、表示体１０は、特定方向ＤＫにカラー画像を形成することが可能となる。
【００４２】
図８が示すように、表示体２０は、複数の画素１１Ａが並ぶ面である表示面２０Ｓを備える。複数の画素１１Ａは、複数の重畳画素２１Ｍと、複数の単面画素２１Ｎとから構成される。単面画素２１Ｎは、第１実施形態やその変形例において説明された画素１１Ａと同様の構成を有するため、以下では、重複した説明を割愛し、重畳画素２１Ｍに関して詳細に説明する。なお、単面画素２１Ｎから回折光Ｌ２が進行する方向である上述した特定方向ＤＫは、第２特定方向である。
【００４３】
各重畳画素２１Ｍは、表示面２０Ｓにおいてマトリックス状に並ぶ。各重畳画素２１Ｍは、第２特定方向、および、第２特定方向とは異なる特定方向である第１特定方向にそれぞれ画像を表示するための構造のなかで、独立した像を形成する繰り返しの最小単位である。複数の重畳画素２１Ｍが表示する第１画像ＰＩＣ１は、例えば、文字、図形、記号、絵柄などである。重畳画素２１Ｍの位置は、例えば、矩形格子の各単位格子、斜方格子の各単位格子、菱形格子の各単位格子である。重畳画素２１Ｍの位置は、単面画素２１Ｎが位置する格子ＢＬと共通する格子上であって、単面画素２１Ｎの位置とは異なる単位格子である。なお、図８が示す例では、各重畳画素２１Ｍ、および、各単面画素２１Ｎが、１つの方向であるＸ方向、および、Ｘ方向と直交する１つの方向であるＹ方向に沿って並ぶ。
【００４４】
そして、複数の重畳画素２１Ｍが発現する光学的な機能が、星形の第１画像ＰＩＣ１を第１特定方向に表示する。また、複数の重畳画素２１Ｍが発現する光学的な機能、および、複数の単面画素２１Ｎが発現する光学的な機能が、星形の第１画像ＰＩＣ１と同様な画像と、円形の重畳画像ＰＩＣ２とが重畳した新たな画像を、第２特定方向に表示する。
【００４５】
なお、第１実施形態と同じく、表示面２０Ｓは、仮想的な格子である格子ＢＬが規定される面である。単位格子Ｌ１Ｅは、格子ＢＬのなかで、光学的な機能を発現する繰り返しの最小単位である。図８が示す例では、各画素１１Ａが単位格子Ｌ１Ｅに１つずつ位置する。
【００４６】
図９が示すように、重畳画素２１Ｍは、複数の第１面要素２１Ｓｘを備える。複数の第１面要素２１Ｓｘは、第１仮想平面２１Ｋｘに沿った面であり、かつ、単一の第１仮想平面２１Ｋｘに含まれる。また、重畳画素２１Ｍは、複数の第２面要素２１Ｓｙを備える。複数の第２面要素２１Ｓｙは、第２仮想平面２１Ｋｙに沿った面であり、かつ、単一の第２仮想平面２１Ｋｙに含まれる。各第１面要素２１Ｓｘ、および、各第２面要素２１Ｓｙは、表示面２０Ｓと対向する方向から見て、Ｘ方向に延在する面であり、かつ、配列方向であるＹ方向に沿って、１つずつ交互に並ぶ。
【００４７】
複数の第１面要素２１Ｓｘが含まれる第１仮想平面２１Ｋｘは、各単位格子Ｌ１Ｅに１つずつの面であって、各重畳画素２１Ｍに１つずつの仮想的な平面である。表示面１０Ｓと第１仮想平面２１Ｋｘとが形成する角度は、第１傾斜角θｂｘである。すなわち、表示面２０Ｓと各第１面要素２１Ｓｘとが形成する角度は、いずれも第１傾斜角θｂｘである。第１面要素２１Ｓｘは、表示面２０Ｓと交差する光学面であって、第１傾斜角θｂｘは、Ｙ方向に沿って一定である。第１仮想平面２１Ｋｘが有する第１傾斜角θｂｘは、第１仮想平面２１Ｋｘが、上述した式（１）および式（２）を満たす仮想的な反射面であるように設定されている。
【００４８】
複数の第２面要素２１Ｓｙが含まれる第２仮想平面２１Ｋｙは、各単位格子Ｌ１Ｅに１つずつの面であって、各重畳画素２１Ｍに１つずつの仮想的な平面である。表示面１０Ｓと第２仮想平面２１Ｋｙとが形成する角度は、第２傾斜角θｂｙである。すなわち、表示面２０Ｓと各第２面要素２１Ｓｙとが形成する角度は、いずれも第２傾斜角θｂｙである。第２面要素２１Ｓｙは、表示面２０Ｓと交差する光学面であって、第２傾斜角θｂｙは、Ｘ方向に沿って一定である。第２仮想平面２１Ｋｙが有する第２傾斜角θｂｙは、第２仮想平面２１Ｋｙが、上述した式（１）および式（２）を満たす仮想的な反射面であるように設定されている。
【００４９】
表示面２０Ｓと対向する方向から見て、第１仮想平面２１Ｋｘの法線方向が向く方向は、第１仮想平面２１Ｋｘの向く方向である。表示面２０Ｓと対向する方向から見て、第２仮想平面２１Ｋｙの法線方向が向く方向は、第２仮想平面２１Ｋｙの向く方向である。第１傾斜角θｂｘと第２傾斜角θｂｙとは、相互に等しくてもよいし、相互に異なっていてもよい。一方で、第１仮想平面２１Ｋｘの向く方向と、第２仮想平面２１Ｋｙの向く方向とは、相互に異なる。第２仮想平面２１Ｋｙの向く方向は、単面画素２１Ｎの反射面１１Ｓが向く方向と等しい。
【００５０】
第１仮想平面２１Ｋｘに含まれる全ての第１面要素２１Ｓｘは、これらの共同によって、以下の光学的な機能を発現する。すなわち、第１仮想平面２１Ｋｘに固有の方向から第１仮想平面２１Ｋｘに入射する光であって第１仮想平面２１Ｋｘに固有の波長を有した光が、各第１面要素２１Ｓｘによって反射される。この際、その光を反射する方向であって各第１仮想平面２１Ｋｘに共通する方向である第２特定方向で、第１仮想平面２１Ｋｘに含まれる全ての第１面要素２１Ｓｘは、光を回折する。言い換えれば、第１仮想平面２１Ｋｘに含まれる全ての第１面要素２１Ｓｘは、これらの共同によって、第１実施形態で説明した反射面１１Ｓと同様の機能を、第２特定方向において発現する。
【００５１】
なお、各重畳画素２１Ｍの第１面要素２１Ｓｘは、相互に等しい色の回折光を生成してもよいし、相互に異なる色の回折光を生成してもよい。各重畳画素２１Ｍの第１面要素２１Ｓｘが相互に等しい色の回折光を生成する場合、表示体１０は、第１特定方向に単色の画像を形成する。各重畳画素２１Ｍの第１面要素２１Ｓｘが相互に異なる色の回折光を生成する場合、表示体２０は第１特定方向にカラー画像を形成する。また、第１仮想平面２１Ｋｘは、表示面２０Ｓにおいて三角柱状を有した突部の上端面であってもよいし、表示面２０Ｓにおける窪みの底面、あるいは、側面であってもよい。
【００５２】
第２仮想平面２１Ｋｙに含まれる全ての第２面要素２１Ｓｙは、これらの共同によって、以下の光学的な機能を発現する。すなわち、第２仮想平面２１Ｋｙに固有の方向から第２仮想平面２１Ｋｙに入射する光であって第２仮想平面２１Ｋｙに固有の波長を有した光が、各第２面要素２１Ｓｙによって反射される。この際、その光を反射する方向であって各第２仮想平面２１Ｋｙに共通する方向である第１特定方向で、第２仮想平面２１Ｋｙに含まれる全ての第２面要素２１Ｓｙは、光を回折する。言い換えれば、第２仮想平面２１Ｋｙに含まれる全ての第２面要素２１Ｓｙは、これらの共同によって、第１実施形態で説明した反射面１１Ｓと同様の機能を、第１特定方向において発現する。
【００５３】
なお、各重畳画素２１Ｍの第２面要素２１Ｓｙは、相互に等しい色の回折光を生成してもよいし、相互に異なる色の回折光を生成してもよい。各重畳画素２１Ｍの第２面要素２１Ｓｙが相互に等しい色の回折光を生成する場合、表示体２０は、第２特定方向に単色の画像を形成する。各重畳画素２１Ｍの第２面要素２１Ｓｙが相互に異なる色の回折光を生成する場合、表示体２０は第２特定方向にカラー画像を形成する。また、第２仮想平面２１Ｋｙは、表示面２０Ｓにおいて三角柱状を有した突部の上端面であってもよいし、表示面２０Ｓにおける窪みの底面、あるいは、側面であってもよい。
【００５４】
図１０が示すように、各第１面要素２１ＳｘがＹ方向に有する距離は、第１ピッチ１ＰＴであり、各第２面要素２１ＳｙがＹ方向に有する距離は、第２ピッチ２ＰＴである。また、第１ピッチ１ＰＴと第２ピッチ２ＰＴとの合計が、繰り返しピッチＳＰＴである。第１ピッチ１ＰＴは、重畳画素２１Ｍに含まれる第１面要素２１Ｓｘからの光が、１つの反射面からの光として視認される大きさが好ましく、例えば０．０５ｍｍ以下である。また、各第１面要素２１ＳｘがＹ方向に有する第１ピッチ１ＰＴは、各第１面要素２１Ｓｘで鏡面反射された光の進行する方向で光が回折する大きさである。第２ピッチ２ＰＴもまた、重畳画素２１Ｍに含まれる第２面要素２１Ｓｙからの光が、１つの反射面からの光として視認される大きさが好ましく、例えば０．０５ｍｍ以下である。また、各第２面要素２１ＳｙがＹ方向に有する第２ピッチ２ＰＴは、第２面要素２１Ｓｙで鏡面反射された光の進行する方向で光が回折する大きさである。そして、これらの双方が満たされる構造の設計を容易なものとするうえで、繰り返しピッチＳＰＴは、０．０５ｍｍ以下であることが好ましい。なお、図１０においても、重畳画素２１Ｍでは、重畳画素２１Ｍにおける表面と表示面２０Ｓとの距離が小さいほど濃い色が付されるように、模式的なグラデーションが付されている。
【００５５】
図１１が示すように、表示面２０Ｓを観察する方向がＹ方向に沿う場合、各第２面要素２１Ｓｙが第１特定方向に表示する画像である第１画像ＰＩＣ１が視認される。そして、各第１面要素２１Ｓｘが第２特定方向に表示する画像や、単面画素２１Ｎが第２特定方向に表示する画像は視認されない。これに対して、表示体２０を観察する方向がＸ方向に沿う場合、各第１面要素２１Ｓｘが第２特定方向に表示する画像と、単面画素２１Ｎが第２特定方向に表示する画像との重畳画像ＰＩＣ２が視認される。一方で、各第２面要素２１Ｓｙが第１特定方向に表示する第１画像ＰＩＣ１は視認されない。なお、第１仮想平面２１Ｋｘに含まれる各第１面要素２１Ｓｘは、各第１仮想平面２１Ｋｘに１つずつの第２仮想平面２１Ｋｙと共に、１つの重畳画素２１Ｍを構成する。そして、表示面２０Ｓと対向する方向から見て、これら第１仮想平面２１Ｋｘと第２仮想平面２１Ｋｙとが同じ領域に位置するため、重畳画像ＰＩＣ２では、それの一部として、第１画像ＰＩＣ１と同様の外形を有した画像が視認される。
【００５６】
上記第２実施形態によれば、以下に列挙する効果が得られる。
（３）各重畳画素２１Ｍからの光の強度を特定方向で高めること、ひいては、特定方向に表示される画像の視認性を高めることが可能となる。
（４）視認性が高められたカラー画像を表示体１０が表示することも可能となる。
（５）第１特定方向と第２特定方向とに表示体２０が画像を表示するため、表示体２０を偽造することの困難性をさらに高めることが可能ともなる。また、表示体２０の真贋を判定する際には、表示体を３６０度回転させることなく、第１画像ＰＩＣ１、あるいは、重畳画像ＰＩＣ２を視認することが可能であるため、表示体２０の真贋判定を容易なものとすることが可能ともなる。
【００５７】
（６）第１面要素２１Ｓｘと第２面要素２１Ｓｙとを重畳画素２１Ｍが備えるため、これらを別々の画素１１Ａが備える構成と比べて、表示体２０が有する意匠性、第１画像ＰＩＣ１の解像度、および、重畳画像ＰＩＣ２の解像度を高めることが可能ともなる。
【００５８】
（７）第１面要素２１Ｓｘと第２面要素２１Ｓｙとが１つずつ交互に並ぶため、第１面要素２１Ｓｘに基づく画像、および、第２面要素２１Ｓｙに基づく画像の双方を表示させる表示体２０において、画像の解像度が低下することを抑えることが可能ともなる。
【００５９】
上記第２実施形態は、以下のように変更して実施することもできる。
［傾斜角］
第１仮想平面２１Ｋｘの向く方向と、第２仮想平面２１Ｋｙの向く方向とは、相互に等しい一方で、第１傾斜角θｂｘと第２傾斜角θｂｙとが、相互に異なっていてもよい。こうした構成によれば、上記（１），（２）に記載の効果に加え、第１面要素２１Ｓｘと第２面要素２１Ｓｙとに共通する特定方向において、画像における輝度や色を高階調で表現することが可能である。
【００６０】
また、複数の重畳画素２１Ｍは、重畳画素２１Ｍ間において第１傾斜角θｂｘが異なる複数の画素１１Ａを含んでもよいし、重畳画素２１Ｍ間において第２傾斜角θｂｙが異なる複数の画素１１Ａを含んでもよい。
【００６１】
［反射面が向く方向］
第１仮想平面２１Ｋｘの向く方向、第２仮想平面２１Ｋｙの向く方向、および、単面画素２１Ｎの反射面１１Ｓが向く方向は、相互に異なっていてもよい。こうした構成であれば、第１特定方向、第２特定方向、および、単面画素２１Ｎの反射面１１Ｓによって定められる特定方向に、各別に画像を表示することが可能ともなる。
【００６２】
［重畳画素］
単面画素２１Ｎは、表示面２０Ｓから割愛されてもよく、すなわち、表示体２０が重畳画素２１Ｍのみを備える構成であってもよい。また、重畳画素２１Ｍは、マトリックス状に並ばず、例えば、マトリックス状に並ぶ単面画素２１Ｎのなかに点在してもよい。こうした構成であっても、上記（１）から（７）に準じた効果を得ることは可能である。
【００６３】
また、重畳画素２１Ｍが備える第１面要素２１Ｓｘの数量は、複数に限らず、１つであってもよい。同様に、重畳画素２１Ｍが備える第２面要素２１Ｓｙの数量は、複数に限らず、１つであってもよい。こうした構成であっても、上記（１）から（４）に準じた効果を得ることは可能である。
【００６４】
この際、図１２が示すように、例えば、重畳画素２１Ｍは、重畳画素２１Ｍが並ぶ面と交差する屈曲線Ｌで屈曲する面であり、かつ、各重畳画素２１Ｍに１つずつの面である屈曲面２１ＳＴを備える。そして、第１反射面２１ＳＡと第２反射面２１ＳＢ、および、第３反射面２１ＳＣと第４反射面２１ＳＤとが、屈曲線Ｌを共有して１つの屈曲面２１ＳＴを構成する。
【００６５】
こうした屈曲面２１ＳＴは、各重畳画素２１Ｍにおける第１反射面２１ＳＡが、それに固有の特定方向に画像を形成し、また、各重畳画素２１Ｍにおける第２反射面２１ＳＢが、それに固有の特定方向に画像を形成する。さらに、各重畳画素２１Ｍにおける第３反射面２１ＳＣが、それに固有の特定方向に画像を形成し、また、各重畳画素２１Ｍにおける第４反射面２１ＳＤが、それに固有の特定方向に画像を形成する。結果として、各々が相互に異なる４つの特定方向に表示体２０が画像を表示するため、表示体２０を偽造することの困難性を一層高めることが可能となる。
【００６６】
［第３変形例］
第１仮想平面２１Ｋｘに含まれる第１面要素２１Ｓｘにおいて、第１面要素２１Ｓｘが光を反射する方向と、第１面要素２１Ｓｘが光を回折する方向とは、相互に異なってもよい。すなわち、各第１面要素２１ＳｘがＹ方向に有する長さは、第１実施形態と同じく、第１面要素２１Ｓｘで鏡面反射された光の進行する方向とは異なる方向で光が回折する大きさであってもよいし、第１傾斜角θｂｘが、上述した式（１）および式（２）を満たさない大きさであってもよい。
【００６７】
また、第２仮想平面２１Ｋｙに含まれる第２面要素２１Ｓｙにおいて、第２面要素２１Ｓｙが光を反射する方向と、第２面要素２１Ｓｙが光を回折する方向とは、相互に異なってもよい。すなわち、各第２面要素２１ＳｙがＹ方向に有する長さもまた、第１実施形態と同じく、第２面要素２１Ｓｙで鏡面反射された光の進行する方向とは異なる方向で光が回折する大きさであってもよいし、第２傾斜角θｂｙが、上述した式（１）および式（２）を満たさない大きさであってもよい。
【００６８】
言い換えれば、第１仮想平面２１Ｋｘに含まれる全ての第１面要素２１Ｓｘは、回折効率が高められた光による表示に限らず、第１実施形態と同じく、回折された光を含まない反射光によって画像を表示してもよい。さらに、第２仮想平面２１Ｋｙに含まれる全ての第２面要素２１Ｓｙは、回折効率が高められた光による表示に限らず、第１実施形態と同じく、回折された光を含まない反射光によって画像を表示してもよい。また、上記各実施形態、および、各変形例においても、表示体は、回折効率が高められた光による表示に限らず、各反射面による反射によって画像を表示してもよい。これらの構成であっても、上記（１），（２）に準じた効果を得ることは可能である。
【００６９】
また、表示体２０が表示する画像は、単位領域である画素の繰り返しによって画像を表現するラスター画像に限らず、ベクトルによって表現された領域の集合によって画像を表現するベクトル画像であってもよい。この際、表示面２０Ｓにおける重畳画素２１Ｍは、画像を表示するための構造における繰り返しの最小単位ではなく、例えば、重畳画素２１Ｍごとに大きさが異なる表示領域である。
【００７０】
上述した第３変形例の構成であれば、複数の方向に別々に画像を表示する表示体２０において、反射面の構造を複雑なものとし、それによって、表示体を偽造することの困難性を高めることは可能である。
【００７１】
以下、図１３から図１５を参照して、第３変形例における表示領域が有する反射面に適用することの可能な他の構造例を説明する。なお、図１３から図１５までの各々の例では、反射面が有する構造を説明する便宜上、第１面要素のみを含む仮想的な面を示し、第２面要素を含む仮想的な面の図示を割愛する。
【００７２】
図１３が示す例では、表示領域２１ＡＯにおいて、複数の第１面要素を含む仮想面２１Ｋと表示面２０Ｓとの距離は、高さＨである。仮想面２１ＫにおけるＸ方向の先端部に近い部位ほど、Ｘ方向の単位距離あたりの高さＨの増加する割合は小さい。すなわち、仮想面２１Ｋは、曲面であり、光を反射する方向に向けて突となる曲率を有する。こうした仮想面２１Ｋに含まれる複数の第１面要素２１Ｓｘによれば、複数の第１面要素２１Ｓｘによる光の拡散が、表示領域２１ＡＯの表示する画像の鮮鋭さを抑えるため、滑らかな画像を表示することが可能ともなる。
【００７３】
図１４が示す例では、表示領域２１ＡＯにおいて、仮想面２１Ｋの一部は、緩やかな窪み部２１ＳＧを備える。こうした窪み部２１ＳＧによる光の拡散によっても、表示領域２１ＡＯが表示する画像の鮮鋭さを抑えることが可能ともなる。
【００７４】
図１５が示す例では、表示領域２１ＡＯにおいて、仮想面２１Ｋの一部は、緩やかに突出する突部２１ＴＧを備える。こうした突部２１ＴＧによる光の拡散によっても、表示領域２１ＡＯが表示する画像の鮮鋭さを抑えることが可能ともなる。
【００７５】
上記変形例とから導き出される技術的思想を以下に付記する。
［付記１］
複数の表示領域を備え、前記複数の表示領域は、入射光を第１方向へ反射する第１反射面と、入射光を第２方向へ反射する第２反射面とを備える表示領域を含み、
前記第１反射面は、第１仮想面に含まれる複数の第１面要素から構成され、
前記第２反射面は、第２仮想面に含まれる複数の第２面要素から構成され、
前記第１面要素と前記第２面要素とは、前記表示領域が並ぶ面と対向する方向から見て１つの配列方向に沿って交互に並び、前記第１仮想面が向く方向と、前記第２仮想面が向く方向とは相互に異なる表示体。
【００７６】
上記付記１に記載の構成によれば、表示領域が並ぶ面と対向する方向から見て、第１面要素と第２面要素とが、配列方向に沿って交互に並ぶ一方で、第１仮想平面が向く方向と、第２仮想平面が向く方向とは相互に異なる。それゆえに、各々が相互に異なる方向に表示される２つの画像を表示する表示体において、単一の表示領域が有する反射面の構造を複雑なものとし、それによって、表示体を偽造することの困難性を高めることが可能ともなる。
【００７７】
［付記２］
複数の表示領域を備え、前記複数の表示領域は、入射光を第１方向へ反射する第１反射面と、入射光を第２方向へ反射する第２反射面とを備える表示領域を含み、
前記第１反射面は、第１仮想面に含まれる複数の第１面要素から構成され、
前記第２反射面は、第２仮想面に含まれる複数の第２面要素から構成され、
前記第１面要素と前記第２面要素とは、前記画素が並ぶ面と対向する方向から見て１つの配列方向に沿って交互に並び、前記表示領域が並ぶ面と前記第１仮想面とが形成する角度と、前記表示領域が並ぶ面と前記第２仮想面とが形成する角度とは相互に異なる表示体。
【００７８】
上記付記２に記載の構成によれば、表示領域が並ぶ面と対向する方向から見て、第１面要素と第２面要素とが、配列方向に沿って交互に並ぶ一方で、表示領域が並ぶ面と各第１仮想平面とが形成する角度と、画素が並ぶ面と各第２仮想平面とが形成する角度とは相互に異なる。それゆえに、第１反射面による画像と、第２反射面による画像とを表示する表示体において、単一の表示領域が有する反射面の構造を複雑なものとし、それによって、表示体を偽造することの困難性を高めることが可能ともなる。
【００７９】
［付記３］
複数の表示領域を備え、前記複数の表示領域は、入射光を第１方向へ反射する第１反射面と、入射光を第２方向へ反射する第２反射面とを備える表示領域を含み、
前記表示領域は、前記表示領域が並ぶ面と交差する屈曲線で屈曲する面であり、かつ、前記各表示領域に１つずつの面である屈曲面を備え、平面である前記第１反射面と、平面である前記第２反射面とが、前記屈曲線を共有して前記屈曲面を構成する表示体。
【００８０】
上記付記３に記載の構成によれば、第１反射面と第２反射面とが、各表示領域に１つずつの屈曲面を構成する。そのため、第１反射面による画像と、第２反射面による画像とを表示する表示体において、表示領域の反射面が有する構造を複雑なものとし、それによって、表示体を偽造することの困難性を高めることが可能ともなる。
【符号の説明】
【００８１】
α…入射角、β…回折角、λ…特定波長、Ｈ…高さ、Ｌ…屈曲線、θｂ…傾斜角、ＢＬ…格子、ＤＫ…特定方向、Ｌ１…入射光、Ｌ２…回折光、θｂ１，θｂ２…傾斜角、θｂｘ…第１傾斜角、θｂｙ…第２傾斜角、Ｌ１Ｅ…単位格子、ＰＩＣ，ＰＩＣＡ，ＰＩＣＢ…画像、ＳＰＴ…繰り返しピッチ、ＰＩＣ１…第１画像、ＰＩＣ２…重畳画像、１ＰＴ…第１ピッチ、２ＰＴ…第２ピッチ、１０，２０…表示体、１０Ｓ，２０Ｓ…表示面、１１Ａ，１１１…画素、１１Ｋ，２１Ｋ…仮想平面、２１Ｍ…重畳画素、１１Ｓ…反射面、１１Ｓ１…面要素、２１ＡＯ…表示領域、２１Ｋｘ…第１仮想平面、２１Ｋｙ…第２仮想平面、２１Ｎ…単面画素、２１ＳＡ…第１反射面、２１ＳＢ…第２反射面、２１ＳＣ…第３反射面、２１ＳＤ…第４反射面、２１ＳＴ…屈曲面、２１ＳＧ…窪み部、２１Ｓｘ…第１面要素、２１Ｓｙ…第２面要素、２１ＴＧ…突部。
【図１】
0006753158.tif 000002
【図２】
0006753158.tif 000003
【図３】
0006753158.tif 000004
【図４】
0006753158.tif 000005
【図５】
0006753158.tif 000006
【図６】
0006753158.tif 000007
【図７】
0006753158.tif 000008
【図８】
0006753158.tif 000009
【図９】
0006753158.tif 000010
【図１０】
0006753158.tif 000011
【図１１】
0006753158.tif 000012
【図１２】
0006753158.tif 000013
【図１３】
0006753158.tif 000014
【図１４】
0006753158.tif 000015
【図１５】
0006753158.tif 000016